(57)【特許請求の範囲】
【請求項１】
本体ケース内に設けられ、被記録媒体に画像を記録するための画像記録手段と、前記画像記録手段より下方に設けられ、複数枚の被記録媒体を略水平状にて堆積させて収容可能な給紙カセットと、前記給紙カセットの上方に配置され、前記堆積された被記録媒体から１枚ずつ分離にして給送する給送手段と、前記給紙カセットから前記画像記録手段の下面と対向するように被記録媒体を搬送し、排出側に被記録媒体を送る第１搬送経路とを備えた画像記録装置において、
前記第１搬送経路における前記画像記録手段と前記給紙カセットとの上下間に、搬送される前記被記録媒体を支持するための用紙支持部を配置し、
前記用紙支持部には、片面画像記録済の被記録媒体を前記給紙カセット上に堆積された被記録媒体の最上面と前記給送手段との間に回送するとき開口する開口部を備え、
前記開口部よりも搬送下流側には、前記画像記録手段の箇所を通過した被記録媒体を挟持可能とする排紙ローラ対を設け、
前記排紙ローラ対の逆回転により、前記片面画像記録済の被記録媒体を、前記開口部から前記給送手段の下方の第２搬送経路に回送した後、前記給送手段にて、前記片面画像記録済の被記録媒体を、前記第１搬送経路を経て前記画像記録手段の方向に再送するように構成したことを特徴とする画像記録装置。
【請求項２】
前記回送される被記録媒体の先端部が、前記給送手段における給紙ローラに届くまでは、前記給紙ローラを前記給紙カセット上に堆積された被記録媒体の最上面から離間させるか、もしくは前記給紙ローラを自由回転可能状態に保持することを特徴とする請求項１に記載の画像記録装置。
【請求項３】
前記排紙ローラ対による被記録媒体のニップを解除するためのニップ解除手段を備え、  前記回送される被記録媒体の先端部が、前記給送手段における給紙ローラと前記給紙カセット上に堆積された被記録媒体の最上面との間に到達した後、前記給紙ローラの離間解除もしくは前記給紙ローラを搬送方向に駆動し、且つ前記ニップ解除手段を作動させるように構成したことを特徴とする請求項２に記載の画像記録装置。
【請求項４】
前記第１搬送経路には、前記画像記録手段よりも搬送上流側に、レジストローラ対が設けられ、前記レジストローラ対と前記排紙ローラ対とは、被記録媒体の搬送及び非搬送を同じくするように駆動されることを特徴とする請求項１乃至３のいずれかに記載の画像記録装置。
【請求項５】
前記用紙支持部は、前記画像記録手段と前記給紙カセットとの上下間に、搬送される被記録媒体を支持するための用紙支持部材により構成され、前記開口部は、前記用紙支持部材の少なくとも一部を、上方または下方に傾動させることにより形成されることを特徴とする請求項１乃至４のいずれかに記載の画像記録装置。
【請求項６】
前記画像記録手段は、前記用紙支持部上の被記録媒体に向かってインク滴を選択的に吐出するインクジェット式の記録ヘッドを備えていることを特徴とする請求項１乃至５のいずれかに記載の画像記録装置。
【発明の詳細な説明】
【技術分野】
【０００１】
本発明は、記録用紙等の被記録媒体の両面に画像を記録することができる画像記録装置の構成に関するものである。
【背景技術】
【０００２】
近年、オフィスや家庭内において、紙資源の節約のために、記録用紙の両面に画像を記録することができる画像記録装置を設置することが盛んに行われている。
【０００３】
この種の画像記録装置は種々の記録方式で盛んに開発されており、例えば、特許文献１では、画像記録装置の本体ケースの下端に給紙カセットが配置され、その上方の本体ケース内には、電子写真プロセスによるトナー式の画像記録部が配置されている。この画像記録装置においては、給紙カセットから上向きＵ字状の搬送経路を介して画像記録部に向かって用紙を搬送して、当該用紙の片面にまず画像を記録する。その後、定着装置を介して排出搬送路へ用紙を搬送し、その搬送方向における排出搬送路の最下流側の排出ローラ対の箇所で用紙の最上流側端部を挟持した状態で一旦停止する。次いで、上記の用紙を上記排出搬送路から分岐し、且つ給紙カセットの上方に配置された反転搬送路に向かって逆行搬送させ、再度上向きＵ字状の搬送経路に用紙を反転搬送させる。最後に下流側の画像記録部で、未だ画像が記録されていない用紙の他面に画像記録ができるように構成されている。
【特許文献１】特開２００４−１０２１６５号公報（図２参照）
【発明の開示】
【発明が解決しようとする課題】
【０００４】
しかしながら、上記特許文献１のように、片面画像形成した後の排出搬送路の箇所で用紙の搬送方向を逆転（逆行）させる反転搬送部ユニットを備えると、その構成部品点数が多くなるため、構造が極めて複雑となり、且つ嵩張るという問題があった。また、反転搬送経路が長くなり、画像記録装置全体が大型化するという問題もあった。
【０００５】
本発明は、上記の従来の課題を解決すべくなされたものであり、部品点数が少なく且つ簡単な構造で小型化でき、且つ両面画像記録の可能な画像記録装置を提供することを目的とするものである。
【課題を解決するための手段】
【０００６】
前記目的を達成するため、請求項１に記載の発明の画像記録装置は、本体ケース内に設けられ、被記録媒体に画像を記録するための画像記録手段と、前記画像記録手段より下方に設けられ、複数枚の被記録媒体を略水平状にて堆積させて収容可能な給紙カセットと、前記給紙カセットの上方に配置され、前記堆積された被記録媒体から１枚ずつ分離にして給送する給送手段と、前記給紙カセットから前記画像記録手段の下面と対向するように被記録媒体を搬送し、排出側に被記録媒体を送る第１搬送経路とを備えた画像記録装置において、前記第１搬送経路における前記画像記録手段と前記給紙カセットとの上下間に、搬送される前記被記録媒体を支持するための用紙支持部を配置し、前記用紙支持部には、片面画像記録済の被記録媒体を前記給紙カセット上に堆積された被記録媒体の最上面と前記給送手段との間に回送するとき開口する開口部を備え、前記開口部よりも搬送下流側には、前記画像記録手段の箇所を通過した被記録媒体を挟持可能とする排紙ローラ対を設け、前記排紙ローラ対の逆回転により、前記片面画像記録済の被記録媒体を、前記開口部から前記給送手段の下方の第２搬送経路に回送した後、前記給送手段にて、前記片面画像記録済の被記録媒体を、前記第１搬送経路を経て前記画像記録手段の方向に再送するように構成したものである。
【０００７】
請求項２に記載の発明は、請求項１に記載の画像記録装置において、前記回送される被記録媒体の先端部が、前記給送手段における給紙ローラに届くまでは、前記給紙ローラを前記給紙カセット上に堆積された被記録媒体の最上面から離間させるか、もしくは前記給紙ローラを自由回転可能状態に保持するものである。
【０００８】
請求項３に記載の発明は、請求項２に記載の画像記録装置において、前記排紙ローラ対による被記録媒体のニップを解除するためのニップ解除手段を備え、  前記回送される被記録媒体の先端部が、前記給送手段における給紙ローラと前記給紙カセット上に堆積された被記録媒体の最上面との間に到達した後、前記給紙ローラの離間解除もしくは前記給紙ローラを搬送方向に駆動し、且つ前記ニップ解除手段を作動させるように構成したものである。
【０００９】
そして、請求項４に記載の発明は、請求項１乃至３のいずれかに記載の画像記録装置において、前記第１搬送経路には、前記画像記録手段よりも搬送上流側に、レジストローラ対が設けられ、前記レジストローラ対と前記排紙ローラ対とは、被記録媒体の搬送及び非搬送を同じくするように駆動されるものである。
【００１０】
また、請求項５に記載の発明は、請求項１乃至４のいずれかに記載の画像記録装置において、前記用紙支持部は、前記画像記録手段と前記給紙カセットとの上下間に、搬送される被記録媒体を支持するための用紙支持部材により構成され、前記開口部は、前記用紙支持部材の少なくとも一部を、上方または下方に傾動させることにより形成されるものである。
【００１１】
請求項６に記載の発明は、請求項１乃至５のいずれかに記載の画像記録装置において、前記画像記録手段は、前記用紙支持部上の被記録媒体に向かってインク滴を選択的に吐出するインクジェット式の記録ヘッドを備えているものである。
【発明の効果】
【００１２】
上述のように、請求項１に記載の発明によれば従来の両面画像記録のための反転搬送手段に比べて、構造が至極簡単且つ部品点数が少なくて済むという効果を奏する。
【００１３】
また、排紙ローラ対の逆回転により、片面画像記録済の被記録媒体を回送させるものであるから、従来の排出部近傍に逆送手段を配置する場合に比べて、逆送経路が極端に短くなり、両面画像記録を迅速に行える（高速化できる）という効果を奏する。そして、構成部品も排紙ローラ対及び給送手段を利用するから、必要部品点数も少なくて、製造コストを大幅に低減できるという効果を奏する。
【００１４】
請求項２に記載の発明によれば、回送される被記録媒体の先端部が、給紙ローラに届くまでは、この給紙ローラを給紙カセット上に堆積された被記録媒体の最上面から離間させるか、もしくは給紙ローラを自由回転可能状態に保持するだけの簡単な構成であるから、給紙ローラを通常の片面画像記録のときの給紙カセットからの被記録媒体の一枚ずつの分離給送することと、片面画像記録済の被記録媒体を第１搬送経路を経て画像記録手段の方向に再送することの両方に共通した部品（給紙ローラ）を利用することができて、構造が至極簡単で必要部品点数も少なくしてコスト低減できるという効果を奏する。
【００１５】
請求項３に記載の発明によれば、排紙ローラ対による被記録媒体のニップを解除するためのニップ解除手段を備え、回送される片面画像記録済の被記録媒体の先端部が、給紙ローラと給紙カセット上に堆積された被記録媒体の最上面との間に到達した後、給紙ローラの離間解除もしくは前記給紙ローラを搬送方向に駆動し、且つ前記ニップ解除手段を作動させて排紙ローラ対のニップを解除するように構成したので、第１搬送経路への被記録媒体の再送時には、排紙ローラ対による被記録媒体の送り作用を無くし、給紙ローラの駆動のみで確実に搬送できるという効果を奏する。
【００１６】
請求項４に記載の発明によれば、第１搬送経路には、画像記録手段よりも搬送上流側に、レジストローラ対が設けられ、レジストローラ対と排紙ローラ対とは、被記録媒体の搬送及び非搬送を同じくするように駆動される場合には、通常の間欠給紙モード時の前記レジストローラ対及び排紙ローラ対の回転方向の制御と同じであるので、片面画像記録と両面画像記録とでの制御を簡単にすることができる。
【００１７】
請求項５に記載の発明によれば、用紙支持部である用紙支持部材の少なくとも一部を上方または下方に傾動させることにより、開口部が形成されるので、傾動させる支持部材の形状が小さくなり、傾動させるアクチュエータの動力も少なくて済むという効果を奏する。
【００１８】
請求項６に記載の発明によれば、画像記録手段は、用紙支持部上の被記録媒体に向かってインク滴を選択的に吐出するインクジェット式の記録ヘッドを備えているものであるので、用紙支持部はその上の被記録媒体と記録ヘッドとの間のギャップを規制する機能を有するものでありながら、開口部を形成し、且つ片面画像記録済の被記録媒体の回送時に給紙ローラに導くための部材としても利用でき、部品点数の削減と、画像記録装置のコンパクト化に寄与できるという効果を奏する。
【発明を実施するための最良の形態】
【００１９】
次に、本発明を具体化した実施形態について図面を参照しながら詳細に説明する。図１は本発明の一実施形態である多機能型の画像記録装置１の全体斜視図、図２は上部ケースを除去した本体ケースの斜視図、図３は本体ケースの平面図、図４は下流側のガイドプレート及び支持部材を除いた状態の記録部ユニットの斜視図、図５は図４は図３のＶ−Ｖ線矢視側面図、図６は移動するキャリッジにより拍車ホルダを上向き回動させた状態の排紙ローラ対側から見た斜視図、図７（ａ）は排紙ローラ対のニップ状態且つ開口部を閉止している状態を示す要部拡大断面図、図７（ｂ）は排紙ローラ対のニップを解除し、開口部を開いた状態を示す要部拡大断面図、図８（ａ）は本体ケース内の記録部ユニットの構造を示す一部側面図、図８（ｂ）は拍車ホルダの付勢及び回動中心を示す要部斜視図、図９（ａ）〜（ｄ）は両面画像動作の各工程を示す作用説明図、図１０（ａ）〜（ｃ）は給紙カセットに対する間欠給紙動作時の動力伝達切換え手段の位置を示す説明図、図１１（ａ）〜（ｄ）は切換え作動体と姿勢強制体の作用説明図、図１２（ａ）〜（ｃ）は同じく連続給紙動作時の動力伝達切換え手段の位置を示す説明図、図１３（ａ）〜（ｃ）は裏面への画像記録時の動力伝達切換え手段の位置を示す説明図、図１４（ａ）〜（ｃ）はメンテナンス動作時の動力伝達切換え手段の位置を示す説明図、図１５は動力伝達切換え手段の概略構成図、図１６（ａ）〜（ｂ）は各動作時への切換え作用説明図、図１７は制御装置の機能ブロック図、図１８は両面画像記録の制御のフローチャートである。
【００２０】
図１に示す多機能型の画像記録装置１は、ファクシミリ機能、プリンタ機能、複写機能、スキャナ機能等の各種機能を備えている。多機能型（Multi Function Device ）の画像記録装置１は、上面開放の略箱状の本体ケース２と、この本体ケース２の一側（図１の実施形態ではＹ軸方向左側）に対して、蝶番、ヒンジ部等の回動軸線部（図示せず）を介して上下回動可能に枢着された上部ケース３とを有する。なお、以下の説明において、図１の画像記録装置１の手前側を前側とし、左右方向（主走査方向、Ｙ軸方向）や、前後方向（副走査方向、Ｘ軸方向）、上下方向に関しても図１の画像記録装置１の向きを基準に説明する。本体ケース２及び上部ケース３は合成樹脂製の射出成形品である。
【００２１】
上部ケース３の上面前部には操作パネル３０が配置されている。操作パネル３０には数字ボタンやスタートボタン、機能操作ボタン等の各種のボタンが設けられており、使用者がこれらのボタンを押下することにより、画像記録装置１に対する各種の操作が行われる。操作パネル３０には液晶（ＬＣＤ）等のディスプレイ部３１が設けられ、画像記録装置１の設定状態や各種の操作メッセージ等が必要に応じて表示される。
【００２２】
上部ケース３には、操作パネル３０の後部側にスキャナ装置（画像読取部）３３が配置されている。即ち、ファクシミリ機能時に相手ファクシミリ装置に送信すべきファクシミリ原稿や、複写機能時に複写すべき原稿の画像を読取るためのスキャナ装置３３は、大判のガラス板上の原稿の画像を読取るフラットベッド読取部と、このフラットベッド読取部の上面を覆う回動可能なカバー体３４とからなる。なお、カバー体３４は、画像記録装置１の背面側（図１のＸ軸方向奥側）に配置されている図示しないヒンジを回動の中心として開閉回動可能に構成されている。
【００２３】
このように上部ケース３は図１に示す画像記録装置１の左側端部を中心にして本体ケース２に対して上向きに大きく開くことができるが、更にその開いた姿勢を保持するための開き姿勢保持手段（図示せず）が備えられている。上部ケース３の下面側の一側（画像記録装置１の背面側に近い部分）には、上述したイメージセンサの移動方向と平行であってその方向に延びるように案内溝孔を有するガイドレール（図示せず）を固定し、本体ケース２における回動軸線部から遠い側にて基端を回動可能に枢着させた支持棒（図示せず）の先端（上端）のガイドピンをガイドレールに移動可能に嵌挿する。そして、案内溝孔のうち回動軸線部から遠い側にて上向きに切欠き形成された係合部（図示せず）に前記ガイドピンが嵌まった状態で、上部ケース３を本体ケース２に対して所定の大きい開き角度で保持できるように構成するものである。
【００２４】
また、図示はしないが、フラットベッド読取部におけるガラス板の直下には、ガラス板に直接載置された原稿の画像面を読取るための光電変換素子の一例としてのライン型の密着型イメージセンサ（ＣＩＳ：Contact Image Sensor）が、後述するキャリッジ１３の移動方向（主走査方向、Ｙ軸方向）と平行方向に延びる図示しないガイド軸に沿って往復移動可能に設けられている。
【００２５】
次に、プリンタ装置（記録部）の構成について説明する。図１に示すように、本体ケース２内の左右方向中央部には、その底部に複数枚の被記録媒体としての用紙Ｐをほぼ水平状にて堆積状態で載置可能な給紙カセット５が配置され、この給紙カセット５は本体ケース２の前面の開口部２ａから挿抜可能に構成されている。
【００２６】
さらに、図５、図９（ａ）〜図９（ｄ）に示すように、本体ケース２内には、給紙カセット５より上部に給紙ローラ７を備えた給送手段としての給送ユニット６と、本体ケース２内の後端部で上向きＵ字状のＵターン搬送路９を介して前向きほぼ水平状に用紙Ｐを搬送する第１搬送経路と、この第１搬送経路中に配置された平板状の用紙支持部１１上の用紙Ｐの表面にインクを吐出して画像記録するインクジェット方式の記録ヘッド１２を備えた記録部ユニット１０とが配置されている。請求項でいう第１搬送経路は、給紙ローラ７と給紙カセット５上の堆積された用紙Ｐの最上面との当接部→Ｕターン搬送路９→レジストローラ対２０→用紙支持部１１と記録ヘッド１２との間（画像記録部）→排紙ローラ対２１に至る経路を言う。以下、第１搬送経路は、この経路を示すものとする。
【００２７】
また、本発明では、後に詳述するように、片面画像記録済の用紙Ｐを、用紙支持部１１に形成された開口部５０（図９（ｂ）〜図９（ｄ）参照）を含む第２搬送経路を介して、給送ユニット６を利用して回送し、さらにＵターン搬送路９を介して記録部ユニット１０に片面画像記録済の用紙Ｐを表裏逆にした状態で再度戻す（回送する）ことにより、両面画像記録する構成を有するものである。請求項でいう第２搬送経路は、排紙ローラ対２１→開口部５０→アーム６ａの下面側の空間→給紙ローラ７と給紙カセット５上の堆積された用紙Ｐの最上面との当接部に至る経路を言う。以下、第２搬送経路は、この経路を示すものとする。
【００２８】
カラー記録用の記録ヘッド１２にインクを供給するためのインクカートリッジ２６は、本体ケース２内であって、上部ケース３を開閉回動する際の回動軸線部を有する側面板と対峙して最も離間した位置の側面板の内面に接近した位置の収容部２７（図２参照）に対して上方から着脱可能に構成されている。各インクカートリッジ２６には、色毎のインクがそれぞれ収納されており、本実施形態ではブラック（Ｂ）、シアン（Ｃ）、マゼンタ（Ｍ）、イエロー（Ｙ）の４色のインクが４つのインクカートリッジ２６にそれぞれ収納されている。もちろん４色以上のインクを用いる画像記録装置の場合には、そのインク色の数だけのインクカートリッジを収納できる構成にすればよい。各インクカートリッジ２６から記録ヘッド１２へは可撓性を有するインクチューブ２８（図２参照）によりインクが供給される。
【００２９】
図２〜図５に示すように、記録部ユニット１０は記録ヘッド１２（図９（ａ）〜図９（ｄ）参照）を有するキャリッジ１３、合成樹脂製の板状の用紙支持部１１、キャリッジ１３を往復移動させるためのＣＲ（キャリッジ）モータ２４及びこのＣＲモータ２４に接続されたタイミングベルト２５、並びにこれらを支持するための金属板製のエンジンフレーム３９を主体として構成されている。エンジンフレーム３９は本体ケース２内部の後部側であって給紙カセット５の上方に配されている。エンジンフレーム３９は金属製であって、図３〜図５、図８（ａ）に示すように箱型をなす本体部３９ａの上部側に本体ケース２の左右方向（主走査方向、Ｙ軸方向）に伸びて、キャリッジ１３を摺動可能に支持するための一対のガイドプレート４０、４１を装着してなる。本体部３９ａには、駆動軸１４及び給送ユニット６のアーム６ａが回動自在に軸止されるとともに記録ヘッド１２の下面と対向して用紙Ｐを支持するための平板状の用紙支持部１１が配置されている。なお、図示しないねじりバネ等の付勢手段により、アーム６ａは常時下向き回動方向に付勢されている。アーム６ａには、図示しないが、駆動軸１４から給紙ローラ７に動力伝達するための複数の歯車からなる歯車伝動機構が設けられており、この歯車伝動機構内には、遊星歯車が配置されている。ＬＦモータ４２が逆回転するときには、駆動軸１４から遊星歯車が車伝動機構の下流側歯車に噛み合って動力伝達し、給紙ローラ７が用紙Ｐを給送する方向に回転する。ＬＦモータ４２が正回転するときには、遊星歯車と車伝動機構の下流側歯車との噛合が外れて、給紙ローラ７は自由回転可能となる。
【００３０】
また、用紙支持部１１を挟んで搬送上流側に配置されて用紙Ｐを記録ヘッド１２の下面に送るためのレジストローラ（搬送ローラ）対２０のうち、駆動ローラたる搬送ローラ２０ａの両端部と、用紙支持部１１の下流側にて配置され、記録済みの用紙Ｐを排紙部２２に搬送するための排紙ローラ対２１のうち、駆動ローラたる排紙ローラ２１ａの両端部とが、エンジンフレーム３９における一対の側板３９ｂ，３９ｃに設けられた軸支部に回転可能に軸支されている。上記搬送される用紙Ｐは、その上位置の搬送ローラ２０ａと、下位置の従動ローラたる搬送コロ２０ｂとの間にニップ（挟持）される。また、排紙ローラ対２１における排紙ローラ２１ａは排出される用紙Ｐの下面に当接する。そして、従動ローラたる拍車２１ｂは排紙ローラ２１ａの上位置に配置されているので、用紙Ｐの上面に当接するようにして用紙Ｐを排紙ローラ２１ａと共にニップ（挟持）する（図８（ａ）参照）。
【００３１】
そして、搬送ローラ２０ａ及び排紙ローラ２１ａ及びメンテナンス部３６には、このメンテナンス部３６の配置側と反対側の側板３９ｂ近傍に配置された１つのＬＦ（用紙搬送用）モータ４２からの動力を所定の歯車伝動機構４３を介して伝達される（図４及び図５参照）。図５に示すように、歯車伝動機構４３は、正逆回転可能なＬＦモータ４２の駆動軸に取付けられたピニオンギヤ４３ａと、これに左右で噛合う伝動ギヤ４３ｂ及び中間ギヤ４３ｃと、この中間ギヤ４３ｃに噛合う伝動ギヤ４３ｄとからなり、伝動ギヤ４３ｂはレジストローラ対２０における搬送ローラ２０ａの一側（左端部）に取り付けられている。他方の伝動ギヤ４３ｄは排紙ローラ対２１における排紙ローラ（駆動ローラ）２１ａの一端（左端部）に取付けられている。なお、後述するように回動可能な拍車ホルダ５３には、Ｙ軸方向に一定間隔で配置される複数の拍車２１ｂが、それぞれコイルバネ軸を介して装着されている。
【００３２】
また、実施形態では、ＬＦモータ４２からの回転力が、搬送ローラ２０ａの他端部から、後述するメンテナンス部３６への動力伝達切換部分を介して給送ユニット６に動力伝達される。
【００３３】
なお、上述したように、搬送ローラ２０ａと排紙ローラ２１ａとは、用紙搬送経路を挟んで上下に位置するので、用紙Ｐを一方向へ搬送する場合には、ＬＦモータ４２の所定方向の回転駆動により、搬送ローラ２０ａと排紙ローラ２１ａとは、互いに逆向きに回転することになる。
【００３４】
また、歯車伝動機構４３の一部には、搬送ローラ対２０ａによる用紙Ｐの搬送量を検知するためのロータリエンコーダ４４が設けられている。ＣＲモータ２４及びＬＦモータ４２は共に正逆回転可能に構成されている。
【００３５】
給紙カセット５から用紙Ｐを１枚ずつ分離にして給送して、レジストローラ対２０で用紙Ｐの先端縁を突き当ててレジストをとるときには、当該レジストローラ対２０を逆回転（図９で搬送ローラ２０ａを反時計方向に回転）させることになる。このときＬＦモータ４２は逆回転し、給送ユニット６の駆動軸１４が図９に示す時計回り方向に回転する。これによってつれ廻りするアーム６ａは下向きに回動する。そして給紙ローラ７は給紙カセット５に堆積された用紙Ｐの最上面に当接され、且つ給紙ローラ７は給送方向（図９で反時計回り方向）に回転する。
【００３６】
レジストローラ対２０で給送された用紙Ｐの先端部をニップ（挟持）して、当該用紙Ｐを記録ヘッド１２と用紙支持部１１との間に搬送して画像記録を実行するときには、ＬＦモータ４２は正回転して、レジストローラ対２０を正回転（図９で搬送ローラ２０ａを時計方向に回転）させる一方、駆動軸１４が図９で反時計回り方向に回転する。これによって遊星歯車がアーム６ａにおける歯車伝動機構の下流側歯車との噛み合いが外れ、給紙ローラ７は自由回転状態となる。従って、給紙カセット５から用紙Ｐは分離給送されない。なお、このとき、排紙ローラ対２１における排紙ローラ２１ａも用紙Ｐを排出する方向に回転することになる（図７（ａ）で反時計回りに回転する）。
【００３７】
搬送される用紙Ｐの幅（用紙Ｐの短辺）より外側には、その一端側（実施形態では、図３でエンジンフレーム３９の本体部３９ａで、用紙Ｐの給送方向から見て左側の側板３９ｂに近い部位）にインク受け部３５が、また、他端側（図３で右側の側板３９ｃに近い部位）にメンテナンス手段としてのメンテナンスユニット３６がそれぞれ配置されている。これにより、記録ヘッド１２はインク受け部３５に設けられたフラッシング位置にて記録動作中に定期的にノズルの目詰まり防止のためのインク吐出を行い、インク受け部３５にてインクを受ける。メンテナンスユニット３６の部分では、キャリッジ１３は待機位置であって、メンテナンスユニット３６におけるキャップ部３６ａ（図４参照）が記録ヘッド１２のノズル面を下方から覆って色毎にインクを選択的に吸引したり、記録ヘッド１２上の図示しないバッファタンク内の気泡を除去するための回復処理等をしたりする。なお、キャリッジ１３がメンテナンスユニット３６の部分から、画像記録領域に横方向に移動するとき、ワイパブレード３６ｂ（図４参照）がノズル面を拭くことによりクリーニングが実行される。
【００３８】
記録ヘッド１２が搭載されたキャリッジ１３を往復移動させるために、用紙給送方向（矢印Ａ方向）の下流側に配置されたガイドプレート４１の上面には、主走査方向（Ｙ軸方向）に延びるようにタイミングベルト２５が配置されている。このタイミングベルト２５はプーリ２５ａ，２５ｂに巻回され、そのタイミングベルト２５を駆動するＣＲ（キャリッジ）モータ２４（本実施形態ではＤＣモータ）はガイドプレート４１の下面に固定されている（図２及び図６参照）。下流側のガイドプレート４１には、その長手方向（主走査方向）に沿って延びるようにリニアエンコーダ（エンコーダストリップ）３７が配置されて、キャリッジ１３のＹ軸方向（主走査方向）の位置や速度を検知する。この帯状のリニアエンコーダ（エンコーダストリップ）３７は検査面（Ｙ軸方向に一定間隔で配置されたスリットの形成面）が垂直方向に沿うように配置されている。
【００３９】
次に、キャリッジ１３の下面（ノズル面）と接近した状態で用紙Ｐを支持し、且つ片面画像記録済の用紙Ｐを回送するときに、アーム６ａの下方に導くための開口部５０を有する用紙支持部１１の構成を説明する。第１実施形態は、図７（ａ），図７（ｂ）、図９（ａ）〜図９（ｄ）に示す。第１実施形態の用紙支持部１１は、平板状で、排紙方向（矢印Ｂ方向）の上流側支持部材としての主支持部材４５と、これに隣接し、且つ下流側支持部材としての副支持部材４６とからなる。主支持部材４５及び副支持部材４６は用紙Ｐの搬送方向と直交する幅方向に長く形成されている。
【００４０】
主支持部材４５は、エンジンフレーム３９の本体部３９ａに固定され、主支持部材４５の広幅面は、記録ヘッド１２のノズル面に対して平行に形成されている。
【００４１】
副支持部材４６は、その長手方向（Ｙ軸方向）の両端部のうち搬送方向上流側部位の枢支ピン４７を中心にして上下回動可能に装着されている（図７（ａ），図７（ｂ）及び図９（ａ）〜、図９（ｄ）参照）。また、副支持部材４６の搬送方向下流側の端部下面は、図９（ａ）〜図９（ｄ）に示すように、搬送方向下流側に行くに従って下向き傾斜形成されていることが好ましい。このように形成することにより、後述の開口用ソレノイド４９をＯＮ作動させて、副支持部材４６の搬送方向下流側を上向きに回動すると、排紙ローラ対２１側に近い側で下向きに大きく開口部５０が形成でき、排紙ローラ対２１の逆回転により回送される片面画像記録済の用紙Ｐがアーム６ａの下方に円滑に導かれる。（図７（ｂ）、図９（ｂ）〜図９（ｄ）参照）。開口用ソレノイド４９をＯＦＦ作動させて、主支持部材４５の上面に対して副支持部材４６の上面を実質上同一面状となるように、副支持部材４６を閉じる（下向き回動する）と、開口部５０が閉じられる（図７（ａ）及び図９（ａ）参照）。
【００４２】
他方、片面画像記録済の用紙Ｐを再度Ｕターン搬送路９に送るための反転搬送手段は、前述の給送ユニット６を利用（共用）する。即ち、上下揺動可能なアーム６ａと、このアーム６ａの先端に設けられた給紙ローラ７である。（図９（ｂ）〜図９（ｄ）参照）。
【００４３】
副支持部材４６を上向き回動させて開口部５０を形成するためのアクチュエータは、上向きに作動軸が突出して副支持部材４６を押し上げ得る、もしくは作動軸が副支持部材４６に連結されて引き上げる開口用ソレノイド（電磁ソレノイド）４９（図１７参照）であって、図示しないが副支持部材４６の長手方向の一端部に配置されている。なお、記録ヘッド１２のノズル面による画像記録領域より下流側であって、排紙ローラ対２１との間の部位には、福支持部材４６の上面基部に近接させた部位に、拍車５１を配置する（図７（ａ）、図７（ｂ）、図９（ａ）〜図９（ｄ）参照）。これにより、画像記録済の用紙Ｐが浮き上がってノズル面に摺接せず、インクの汚れで画像品質を悪化させないようにしている。
【００４４】
次に、排紙ローラ対２１における駆動する排紙ローラ２１ａに対して拍車２１ｂが接離可能となる構成（ニップ解除手段）について説明すると、図６、図７（ａ）、図７（ｂ）、図８（ａ）及び図８（ｂ）に示すように、排紙ローラ（駆動ローラ）２１ａはエンジンフレーム３９の本体部３９ａに高さ位置固定的に設けられ、その上方であって下流側のガイドプレート４１の下面に近接して拍車ホルダ５３が上下動可能に配置されている。合成樹脂製の平板状の拍車ホルダ５３には、複数の拍車２１ｂが、駆動ローラ２１ａの回転軸線に沿って適宜間隔で配置されている。そして、拍車ホルダ５３の長手方向（Ｙ軸方向）の両端部のフック５５ａと、本体部３９ａ固定された主支持部材４５の側端のフック５５ｂとの間には、コイルバネ５４が装架されて、拍車ホルダ５３を下向きに付勢し、常時拍車２１ｂの外周拍車部分の下端部が、駆動する排紙ローラ２１ａの上面に近接もしくは当接するように構成されている（図７（ａ）及び図８（ａ）参照）。
【００４５】
拍車ホルダ５３の上面のうち搬送方向下流側端部には、Ｙ軸方向に沿って適宜間隔でＬ字状の当接体５５が一体的に設けられ、これらの当接体５５が下流側のガイドプレート４１を貫通してその上面と対面するように配置されている（図６、図７（ａ）及び図７（ｂ）参照）。ガイドプレート４１の上面のうち搬送方向下流側端部には、Ｙ軸方向に沿って延びる作用軸５６が軸受部５７の中心に対して回動可能に軸支されており、この作用軸５６には、滴型の押し上げ作用部５８が一体的に形成されている（図７（ａ）及び図７（ｂ）参照）。また、作用軸５６には、メンテナンス部３６の近傍にて上向きに立設するように、当接レバー５９が固設されている（図６、図７（ａ）及び図７（ｂ）参照）。当接レバー５９はその平面視の断面形状が搬送方向上流側に突出する二等辺三角形である。キャリッジ１３が主走査方向（Ｙ軸方向）に沿って移動して画像記録領域からメンテナンス部に入るとき（矢印Ｅ方向に移動するとき）、及びメンテナンス部から画像記録領域に出る方向（矢印Ｃ方向）に移動するときに、キャリッジ１３の後端面（後当接部）１３ｃ（図６参照）が当接レバー５９を押して、作用軸５６を図７（ｂ）において反時計廻り（矢印Ｆ方向）に回動させる。これにより、押し上げ作用部５８が当接体５５を押し上げると、コイルバネ５４の付勢力に抗して拍車ホルダ５３が図７（ｂ）において時計廻りに上向きに回動し、すべての拍車２１ｂを排紙ローラ２１ａの上面から離れてニップ解除するように構成されている（図７（ｂ）の状態参照）。
【００４６】
次に、図１０〜図１６を参照しながら、給送ユニット６及びメンテナンス部３６に対するそれぞれの駆動力の動力伝達部及び伝達切り替え手段１００の構成について説明する。動力伝達切換え手段１００は、メンテナンス部３６のみに動力伝達するメンテナンスモードと、給送ユニット６における駆動態様の間欠給紙モードと連続給紙モードと、用紙Ｐの回送時に給送ユニット６に対する動力伝達を遮断する回送モードというように複数の作動モードに切り換えるものである。本実施形態において「モード」とは、動力伝達切換え手段１００によって切り換えられない限り、継続される動作状態のことをいうものとする。
【００４７】
図４及び図５に示し、且つ上述したように、正逆回転可能なＬＦモータ４２からの回転力は、歯車伝動機構４３におけるピニオン４３ａ及びレジストローラ対２０における搬送ローラ２０ａに取り付けられた減速ギヤ４３ｂに伝達される一方、ピニオン４３ａから中間ギヤ４３ｂを介して排紙ローラ対２１における排紙ローラ２１ａに取付けられたギヤ４３ｃに伝達され、搬送ローラ２０ａと排紙ローラ２１ａとが同時に回転する。
【００４８】
そして、搬送ローラ２０ａの右端部（メンテナンス部３６）には、動力伝達切換え手段１００における１つの長い駆動ギヤ１０１（図４参照）が一体的に回転するように設けられている。この駆動ギヤ１０１に常時噛み合う１つの切換えギヤ１０２は、駆動ローラ２０ａの軸線と並行状に配置された支軸１０３に対してスライド且つ回転可能に構成されている。また、支軸１０３には、上向きに延びるレバー部１０４ａを備えた第１ブロック１０４（切換え作動体）が摺動且つ回動可能に被嵌されている。第１ブロック１０４に隣接する第２ブロック１０５（姿勢強制体）は支軸１０３に対して摺動可能に被嵌されている。第１ブロック１０４は切換えギヤ１０２の片面に対して切り離し可能である。また、第１ブロック１０４と第２ブロック１０５とも切り離し可能である。
【００４９】
支軸１０３に被嵌される等した第１付勢ばね１０６ａは第２ブロック１０５を図１１（ｂ）、図１５及び図１６の矢印Ｃ方向に押圧し、第２付勢ばね１０６ｂは切換えギヤ１０２を図１１（ｂ）、図１５及び図１６の矢印Ｅ方向に押圧するように配置されている。。その場合、第１付勢ばね１０６ａの付勢力が第２付勢ばね１０６ｂ力より大きいように設定されている。
【００５０】
第１ブロック１０４（切換え作動体）と第２ブロック１０５（姿勢強制体）との対面箇所には、支軸１０３の軸線に対して傾斜する等した端面カム部（図示せず）が形成されており、第２ブロック１０５で第１ブロック１０４を矢印Ｃ方向に押すとき、図１１（ｂ）において矢印Ｄ方向にレバー部１０４ａが回動するように構成されている。
【００５１】
実施形態では、図１１（ａ）〜図１１（ｄ）に示すように、第１ブロック１０４の基部１０４ｃとその基部１０４ｃから半径外方向に延びるレバー部１０４ａとにわたって板状の当接片１０４ｂが設けられている。第２ブロック１０５には、その基部１０５ａのうち上記当接片１０４ｂと対面する箇所に当該当接片１０４ｂが遊嵌できる切欠き部１０５ｂが設けられ、その切欠き部１０５ｂの片面は基部１０５ａの半径中心側から半径外側に傾斜する強制当接面１０５ｃとなるように形成されている。また、第２ブロック１０５には、その基部１０５ａから半径外方向に延びる一対の角部１０５ｄが設けられている。この一対の角部１０５ｄは下流側のガイドプレート４１の下面に当接可能に設けられ、第２ブロック１０５が支軸１０３回りに回動しないように構成されている。そして、第１ブロック１０４の基部１０４ｃが第２ブロック１０５の基部１０５ａの内径部に嵌まり込み可能に形成されている。
【００５２】
第１ブロック１０４と第２ブロック１０５とが接近して当接片１０４ｂが切欠き部１０５ｂの強制当接面１０５ｃのうち半径外寄り部位に当接している状態（図１１（ｃ）参照）から、第１ブロック１０４と第２ブロック１０５との間隔が大きくなって、当接片１０４ｂが切欠き部１０５ｂの強制当接面１０５ｃのうち半径中心寄り部位に当接している状態（図１１（ｄ）参照）まで、第１ブロック１０４の姿勢が矢印Ｄ方向（図１１（ｂ）参照）に強制的に変更させられるように構成されている。従って、上記矢印Ｄ方向にレバー部１０４ａも回動させられる。
【００５３】
図１０（ａ）〜図１０（ｃ）及び図１６（ａ）に示すように、第１ブロック１０４より上方位置には、レバー部１０４ａの先端部が上下に貫通して摺動可能なガイド溝１０９を有するプレート状等の合成樹脂製のガイドブロック１０７（保持枠体）がガイドプレート４１に固定されている。なお、図１６（ａ）ではガイドブロック１０７を模式的に示す。ガイド溝１０９は、平面視である図１６（ｂ）に示すように、矢印Ｃ、Ｅ方向に長い直線溝部１０９ａと、この直線溝部１０９ａの左端部に連通する時計回りの環状溝部１０９ｂとを備える。実施形態では、ガイドブロック１０７の上方から下向きに延びる規制片１１０を環状溝部１０９ｂの中央部に臨ませてある（図１０（ａ）〜図１０（ｃ）参照）。この規制片１１０は、直線溝部１０９ａに沿っている。そして、環状溝部１０９ｂの一側には、階段状の第１セット部１１１と、第２セット部１１２と、第２セット部１１２に隣接して傾斜状の凸部１０８ａを隔てて形成された第３セット部１０８とが設けられている。これらのセット部を保持部と称する。
【００５４】
キャリッジ１３における第１係合段部１３ａまたは第２係合段部１３ｂでレバー部１０４ａを受けることができ、キャリッジ１３の矢印Ｃ方向または矢印Ｅ方向への移動に応じて、これら切換えギヤ１０２、第１ブロック１０４、第２ブロック１０５を支軸１０３に沿って摺動させ、矢印Ｃ方向または矢印Ｅ方向へ移動させる構成である。
【００５５】
次に、キャリッジ１３の主走査方向に沿った移動（矢印Ｃ方向または矢印Ｅ方向への移動）に応じた動力伝達切換え手段１００の作動モード切換えの動作について説明する。
【００５６】
図１６（ｂ）に示すように、キャリッジ１３がメンテナンス部３６から矢印Ｃ方向に大きく移動して、用紙Ｐに対する記録領域にあるときには、第１付勢ばね１０６ａで矢印Ｃ方向に押された第２ブロック１０５を介して第１ブロック１０４及び切換えギヤ１０２が支軸１０３に沿って移動する。そして、矢印Ｄ方向に回動した第１ブロック１０４におけるレバー部１０４ａは、第１セット部１１１に係止される。この位置をポジション１（Ｐｏ１）といい、「間欠給紙モード」となる。このとき、切換えギヤ１０２は、間欠給紙伝動ギヤ１１３に噛合う（図１０（ａ）〜図１０（ｃ）参照）。
【００５７】
次いで、キャリッジ１３がメンテナンス部３６で矢印Ｅ方向に移動するとき、キャリッジ１３における第１係合段部１３ａにてレバー部１０４ａが押される。このレバー部１０４ａが第２セット部１１２に係止されるとき（ポジション２、Ｐｏ２）、「連続給紙モード」となり、切換えギヤ１０２は、連続給紙伝動ギヤ１１４に噛合う（図１２（ａ）〜図１２（ｃ）参照）。
【００５８】
キャリッジ１３がさらに矢印Ｅ方向に移動するとき、第１係合段部１３ａにて押されたレバー部１０４ａが第２セット部１１２に隣接する傾斜状の凸部１０８ａを乗り越えて第３セット位置１０８に係止される。この位置をポジション３（Ｐｏ３）という。このとき、切換えギヤ１０２は、アイドルギヤ１２１に噛合う（図１３（ａ）〜図１３（ｃ）参照）。この場合には、アイドルギヤ１２１は駆動軸１４に対するギヤは配置されてない。従って、「回送モード」では、給送ユニット６に対する駆動軸１４への回転力が遮断され、給紙ローラ７は自由回転可能な状態となる。
【００５９】
ポジション３（Ｐｏ３）からキャリッジ１３がさらに矢印Ｅ方向に移動するとき、第１係合段部１３ａにて押されたレバー部１０４ａが環状溝部１０９ｂにおける直線溝部１０９ａへの連接傾斜面１０９ｃに沿って移動する。レバー部１０４ａが直線溝部１０９ａに入った初期箇所（この位置をポジション４（Ｐｏ４）という）では、レバー部１０４ａはキャリッジ１３における第２係合段部１３ｂに係合している。そしてこのとき、切換えギヤ１０２は、メンテナンス用伝動ギヤ１１５に噛み合っている。
【００６０】
切換えギヤ１０２、間欠給紙伝動ギヤ１１３、連続給紙伝動ギヤ１１４、アイドルギヤ１２１及びメンテナンス用伝動ギヤ１１５はそれぞれ平歯車であるが、上記各ポジションで、切換えギヤ１０２の歯先と上記各ギヤ１１３、１１４、１２１、１１５の歯先との位相がずれていることがあるので、隣接するポジションに切換えギヤ１０２を移動させるとき、駆動ローラ２０ａ、ひいては駆動ギヤ１１を若干正逆回転させて、切換えギヤ１０２の歯先の位相を変えて、各ギヤが噛合いできるようにするのである。また、メンテナンス用伝動ギヤ１１５の側面には大径の傘歯車１１５ａが一体的に回転するように設けられている。
【００６１】
上記ポジション４（Ｐｏ４）から、キャリッジ１３が矢印Ｅ方向にさらに移動するとき、切換えギヤ１０２の側面が傘歯車１１５ａに当接して矢印Ｅ方向への移動が阻止されて第１ブロック１０４から切り離され、切換えギヤ１０２はメンテナンス用伝動ギヤ１１５との噛み合いが保持される（図１４（ａ）〜図１４（ｃ）参照）。レバー部１０４ａはキャリッジ１３における第２係合段部１３ｂに押され、直線溝部１０９ａの終端部（図１６（ｂ）の右端部）に位置する。この位置をポジション５（Ｐｏ５）とする。この状態が「メンテナンスモード」となる。
【００６２】
前記と逆にポジション５（Ｐｏ５）からキャリッジ１３が矢印Ｃ方向に移動し、レバー部１０４ａが直線溝部１０９ａから環状溝部１０９ｂに移行するとき、第１係合段部１３ａにてレバー部１０４ａが受け止められているので、上記連接傾斜面１０９ｃにレバー部１０４ａが入り込まず、レバー部１０４ａは規制片１１０に摺接しながら図１６（ｂ）で環状溝部１０９ｂの左傾斜面に沿って左端部に至り、第１セット部１１１にレバー部１０４ａが係合するというように循環的に移動できる構成である。
【００６３】
上記のポジション５（Ｐｏ５）は、ホームポジション（原点位置）であり、待機位置兼用のメンテナンス位置とする。待機位置兼用のメンテナンス位置では、メンテナンス部３６におけるキャップ部３６ａが記録ヘッド１２のノズル面を下方から覆っている。ＬＦモータ４２が駆動し、吸引ポンプ（図示せず）を作動させてノズルからインクを選択的に吸引したり、記録ヘッド１２上の図示しないバッファタンク内の気泡を除去するための回復処理等を行う。なお、キャリッジ１３がメンテナンス部３６から画像記録領域（図６の左方向）に横方向に移動するとき、ポジション４（Ｐｏ４）の箇所では、キャップ部３６ａが記録ヘッド１２のノズル面から離れ、空吸引を実行すると共に、クリーナ（ワイパブレード）３６ｂでノズル面を拭いてクリーニングを行うものである。なお、画像記録装置１に電源投入されていない状態では、キャリッジ１３はメンテナンス部３６の上面位置にて停止しており（ポジション５（Ｐｏ５））、キャリッジ１３における記録ヘッド１２のノズル部はメンテナンス部３６の上面のキャップ部３６ａにて密着されて覆われている。
【００６４】
次に図１７を参照して、この画像記録装置１の制御部（制御手段）について説明する。この制御部は、画像記録装置１の全体的な動作を制御するものである。この制御部は、ＣＰＵ３００、ＲＯＭ３０１、ＲＡＭ３０２、ＥＥＰＲＯＭ３０３を中心とするマイクロコンピュータとして構成され、バス３０５を介してＡＳＩＣ(Application Specific Integrated Circuit) ３０６に接続されている。
【００６５】
ＲＯＭ３０１には、インクジェットプリンタの各種動作を制御するプログラム等が格納されおり、ＲＡＭ３０２は、ＣＰＵがこれらのプログラムを実行する際に用いる各種データを一時的に記憶する記憶領域として、また作業領域として用いられる。
【００６６】
ＡＳＩＣ３０６にはＮＣＵ(Network Control Unit)３１７が接続されており、公衆回線からＮＣＵ３１７を介して入力された通信信号はＭＯＤＥＭ３１８によって復調されてからＡＳＩＣ３０６に入力される。また、ＡＳＩＣ３０６がファクシミリ送信等で画像データを外部へ送信する場合には、その画像データがＭＯＤＥＭ３１８によって通信信号に変調され、その通信信号がＮＣＵ３１７を介して公衆回線に出力される。
【００６７】
また、ＡＳＩＣ３０６は、ＣＰＵ３００からの指令に従い、例えばＬＦモータ４２に通電する相励磁信号等を生成して、これらの信号をＬＦモータ４２の駆動回路３１１やＣＲモータ２４の駆動回路３１２に与え、駆動回路３１１や駆動回路３１２等を介してＬＦモータ４２やＣＲモータ２４に駆動信号を通電し、ＬＦモータ４２やＣＲモータ２４の正逆回転、停止等の制御を行っている。
【００６８】
更に、ＡＳＩＣ３０６には、原稿の画像や文字を読み取るための、スキャナ装置３３（例えば、ＣＩＳなど）、送受信操作のための操作パネル３０のキーボード３０ａや液晶ディスプレイ（ＬＣＤ）３０ｂを備えたパネルインターフェース３１３、パソコンなどの外部機器とパラレルケーブルやＵＳＢケーブルを介してデータの送受信を行うためのパラレルインターフェース３１５やＵＳＢインターフェース３１６、などが接続されている。
【００６９】
更に、ＡＳＩＣ３０６には、メンテナンス部３６のカム（図示せず）の回転位置を検出するためのリーフスイッチ１１８、用紙ＰがＵターン搬送路９を介して画像記録部に近づくように給紙されたときに、その用紙Ｐの先端位置及び終端位置を検出するためにＵターン搬送路９の搬送下流側に位置する用紙検出体１１６に関連させて設けられたレジセンサ１１７、駆動ローラ２０ａの回転量を検出するためのロータリエンコーダ４４、キャリッジ１３の主走査方向での移動量及び移動位置（現在位置）を検出するためのリニアエンコーダ３７等が接続されている。
【００７０】
駆動回路３１４は、記録ヘッド１２から所定のタイミングでインクを用紙Ｐに対して選択的に吐出させるためのものであり、ＣＰＵ３００から出力される駆動制御手順に基づきＡＳＩＣ３０６において生成され出力された信号を受けて、記録ヘッド１２を駆動制御する。
【００７１】
次に、上述の制御手段による用紙給紙及び画像記録の制御、つまり、用紙（カットシート）の給紙態様を第１モードと第２モードとに切換える制御であり、第１モードでは、複数枚の用紙への画像記録に際して、給紙カセット５から用紙を間欠的に給紙するモードであり、画像記録の良好な精度を優先するモードでもある。他方、第２モードでは、複数枚の用紙への画像記録に際して、給紙カセット５から用紙を連続的に給紙するモードであって、複数枚の用紙を高速度で給紙するモードでもある。
【００７２】
画像記録装置１に電源投入され、制御がスタートする。次に、ユーザが操作パネル３０でのモード設定ボタン（図示せず)を押すことにより、第１モードか第２モードの何れかを選択すると、制御部は設定モードを確認する。第１モードでは、カラー写真画像などのカラー記録（印刷）であって、多色のインクを微小ドットで用紙に記録させるとき、レジストローラ対２０の箇所で、搬送される用紙Ｐの先端縁を一旦停止させて用紙Ｐの斜行を無くすると共に、用紙Ｐの搬送位置と記録ヘッドでの印刷位置と合わせすることで、色ずれ、色むら度が発生しないように写真用の用紙などに印刷するものである。
【００７３】
第１モード（精度優先モード、間欠給紙モード）に設定したときには、動力伝達切換え手段１００を第１モードに設定する。そのためには、上記の待機位置（ホームポジション、ポジション５（Ｐｏ５））に停止しているキャリッジ１３を図１６（ｂ）に示すように矢印Ｃ方向であって画像記録領域側に大きく移動させる。これにより、付勢ばね１０６ａで押されている第１ブロック１０４は、環状溝１０９ｂの規制片１１０に沿って矢印Ｃ方向に移動し、キャリッジ１３が環状溝１０９ｂから外れると、第１セット部１１１に受け入れられて位置保持される（ポジション１（Ｐｏ１））。
【００７４】
この状態で、ＬＦモータ４２を逆回転させると、レジストローラ対２０の駆動ローラ２０ａが逆回転（図９（ｄ）でと同様に反時計回り回転）する。一方、アーム６ａ内の歯車伝動機構（遊星歯車を含む）を介して給紙ローラ７は給送方向（図９で反時計回り、正回転）に回転駆動する。それにより、給紙カセット５に堆積された複数枚の用紙Ｐを給紙カセット５の先端に設けられた分離傾斜面１５における摩擦係数の大きい分離部材（図示せず）に突き当て、最上層の用紙Ｐのみ（１枚の用紙Ｐ）を分離してＵターン搬送路９に給送する。このとき、レジストローラ対２０の駆動ローラ２０ａが逆回転しているので、従動ローラ２０ｂと駆動ローラ２０ａとのニップ部に用紙Ｐの先端縁を突き当てて斜行を補正するというレジスト作用を受けさせることができる。
【００７５】
次いで、ＬＦモータ４２を適宜ステップ数だけ正回転させて、切換えギヤ１０２及びレジストローラ対の駆動ローラ２０ａを正回転（図９（ａ）で時計回り回転）させ、従動ローラ２０ｂと駆動ローラ２０ａとのニップ部で挟持された用紙Ｐは給紙カセット２の下方に搬送される（頭出し動作）。頭出し動作とは、レジストローラ対２０で挟持された用紙Ｐの先端が、用紙検出体１１６の箇所を通過してから、画像記録部の所定位置まで前進させて画像記録の開始可能位置にセットすることをいう。
【００７６】
このとき、給送ユニット６おける駆動軸１４は逆回転するので、アーム６ａにおける前述した遊星歯車が歯車伝動機構から外れ、給紙ローラ７は自由回転状態となるので、レジストローラ対２０でのニップ力を給紙カセット５の箇所での給紙ローラ７による搬送力（付勢ねじりばねによる給紙ローラ７の用紙への押圧力等による給紙ローラ７の用紙への食いつき力）よりも大きく設定することで、用紙Ｐはレジストローラ対２０でニップされて搬送されるというリリース作用が働くことになる。
【００７７】
続いて、図示しない外部コンピュータ等から画像記録指令があると、用紙Ｐを間欠的に前進させながら、キャリッジ１３を主走査方向に往復移動させつつ記録ヘッド１２のノズルから用紙Ｐの片面（表面）にインクを吐出させて画像記録を開始する。用紙Ｐを間欠的に前進させるときは、レジストローラ対２０及び排紙ローラ対２１は同方向に回転（正回転）している。
【００７８】
１枚分の記録が終了すると、その片面画像記録済みの用紙Ｐの排紙を開始する。その場合、レジストローラ対２０及び排紙ローラ対２１を連続的に正回転させるべくＬＦモータ４２を適宜ステップ数だけ正回転させた後、ＬＦモータ４２を停止する。
【００７９】
次いで、後続する用紙（次頁）に対する画像記録データが有か否かを判別し、画像記録データが有りの場合、上記の処理を繰り返す。このようにして、１枚ずつ用紙Ｐを画像記録部に給紙して、カラー写真のような精密な画像記録処理が実行できるのである。
【００８０】
上述のように、ポジション１（Ｐｏ１）では、第１付勢ばね１０６ａにて矢印Ｃ方向に付勢されているレバー部１０４ａは第１セット部１１１に位置保持でき、同様に、ポジション２（Ｐｏ２）では、第１セット部１１１より一段低い第２セット部１１２にレバー部１０４ａは位置保持できるので、このように、一旦、レバー部１０４ａが所定位置に保持された後は、キャリッジ１３を画像記録領域に戻して画像記録動作に専念できる。従って、レジスト作用時の毎に、キャリッジ１３を画像記録領域から外れた動力伝達切換え手段１００に移動させる必要がなく、精密記録（間欠給紙）モード時の画像記録動作が全体的に迅速できる。
【００８１】
次に、第２モード（連続給紙モード）の場合について説明すると、動力伝達切換え手段１００を第２モードに設定する。第２モードは、画像記録動作において、画質を重視するのではなく、画像記録速度を優先するため、複数枚の用紙Ｐを給紙カセット５から連続的に給送するものである。そのために、従動ローラ２０ｂと駆動ローラ２０ａとのニップ部でのニップ力が、給紙ローラ７で給紙カセット５上の用紙Ｐを搬送する搬送力より大きく、且つ駆動ローラ２０ａの周速度が給紙ローラ７の周速度より大きくなるように設定されている。例えば、連続給紙伝動ギヤ１１４と中間歯車１０との減速比により設定する。
【００８２】
そして、上記のポジション１（Ｐｏ１）に停止しているキャリッジ１３を図１６（ｂ）に示すように矢印Ｅ方向に所定量だけ移動させる。これにより、キャリッジ１３における第１係合段部１３ａにてレバー部１０４ａが押される。このレバー部１０４ａが第２セット部１１２（ポジション２、Ｐｏ２）に位置するとき、切換えギヤ１０２と連続給紙伝動ギヤ１１４とが噛み合い、１つの中間ギヤ（図示せず）を介してアーム６ａの基端の駆動軸１４の歯車に動力伝達される。その後は、キャリッジ１３を矢印Ｃ方向（画像記録領域）に移動させても、第１付勢バネ１０６ａにて付勢されているレバー部１０４ａは低い段部である第２セット部１１２に位置した状態を保持することができるのである。
【００８３】
用紙Ｐの給紙を開始すべく、ＬＦモータ４２を正回転させると、切換えギヤ１０２及びレジストローラ対２０の駆動ローラ２０ａを正回転（図１３（ａ）に示すように時計回り回転）させ、且つ給紙ローラ７も給紙方向に正回転させる。従って、最上層の用紙Ｐのみ（１枚の用紙Ｐ）を分離してＵターン搬送路９に給送する。第１搬送経路を介して給送された前記用紙Ｐの先端部が駆動ローラ２０ａと従動ローラ２０ｂとのニップ部に到達すると、レジスト作用を受けることなく、直ちにこのニップ部で挟持されて記録ヘッド２の下方に搬送され、最初の用紙Ｐへの画像記録が開始される。なお、第２モードでは、レジセンサ１１７からの出力信号（ＯＮ・ＯＦＦ信号）をＡＳＩＣ３０６が受け付けないようにすることが好ましい。
【００８４】
１枚の用紙Ｐが駆動ローラ２０ａと従動ローラ２０ｂとのニップ部で挟持され、且つ給紙ローラ７の箇所でもニップされているときであっても、上述のように、従動ローラ２０ｂと駆動ローラ２０ａとのニップ部でのニップ力が、給紙ローラ７で給紙カセット５上の用紙Ｐを押える力より大きく、且つ駆動ローラ２０ａの周速度が給紙ローラ７の周速度より大きく設定されているので、レジストローラ対２０である駆動ローラ２０ａと従動ローラ２０ｂとのニップ部で挟持された用紙Ｐは確実に画像記録部に搬送させることができるのである。
【００８５】
次いで、上記外部装置からの次頁（後続する用紙）有りのコマンドを受信し、さらに、先行する用紙Ｐの画像記録が終了すると、現在のフラグが第１モードか第２モードかを判別し（Ｓ１８）、フラグが第２モードの場合、ＬＦモータ４２を続いて連続的に正回転させて、駆動ローラ２０ａ、排紙ローラ２１ａ及び給紙ローラ７を正回転させる。これにより、先行する用紙Ｐ（前頁）を排紙すると共に、次の記録紙（後続する用紙）を記録開始位置に搬送し、次頁の記録紙（後続する用紙）に対する画像記録を開始する。このようにして、レジストローラ対２０の箇所で用紙Ｐを一時停止させることなく、複数枚の用紙Ｐを連続的に給紙、搬送を実行するので、高速記録動作が可能となる。
【００８６】
次に、図１８のフローチャートを参照しながら、上述の制御手段による一方の片面画像記録及びその後の両面画像記録（他方の片面画像記）の制御について説明する。なお、この一方の片面画像記録及びその後の他方の片面画像記録に際しては第１モード、つまり、間欠給紙モードを実行するものとする。
【００８７】
画像記録装置１に電源投入され、次いで、図示しない外部コンピュータ等から画像記録指令（ステップ１:以下、Ｓ１と称す。他のステップも同様。）があると、上記の待機位置（ホームポジション、ポジション５（Ｐｏ５））に停止しているキャリッジ１３を図１６（ｂ）に示すように矢印Ｃ方向であって画像記録領域側に大きく移動させ、上述と同じようにして、動力伝達切換え手段１００を第１モードに設定する（Ｓ２）。
【００８８】
図１０のごとく、切換ギヤ１０２が間欠給紙伝動ギヤ１１３と噛み合った状態では、給紙カセット５からの給紙が可能となるので、次いで、給紙動作（Ｓ３）のため、ＬＦモータ４２を逆回転させると、給紙ローラ７を給送方向に回転駆動させる。
【００８９】
ＬＦモータ４２の逆回転時には、レジストローラ対２０の搬送ローラ２０ａでは用紙Ｐを記録ヘッド１２の下方には送らない逆回転状態である。そして、給紙カセット５に堆積された用紙Ｐのうち、最上層の１枚の用紙Ｐが分離されて、その用紙Ｐの先端が、図９（ａ）〜図９（ｄ）に示すＵターン搬送路９の搬送下流側に位置する用紙先端検出体１１６の箇所を通過してから（レジセンサ１１７で検知してから）所定ステップ数だけ、レジストローラ対２０に突き当たる状態までＬＦモータ４２の逆回転が継続され、レジスト作用を受ける（Ｓ３）。次いで、ＬＦモータ４２を適宜ステップ数だけ正回転させて用紙Ｐの頭出しを行う。頭出し動作とは、レジストローラ対２０で挟持された用紙Ｐの先端が、用紙先端検出体１１６の箇所を通過してから、記録ヘッド１２の下方の所定位置まで前進させて画像記録の開始可能位置にセットすることをいう。
【００９０】
続いて、用紙Ｐを間欠的に前進させながら、キャリッジ１３を主走査方向に往復移動させつつ記録ヘッド１２のノズルから用紙Ｐの一方の片面（表面）にインクを吐出させて画像記録を実行する（Ｓ４）。頭出し動作時及び画像記録のときには、駆動軸１４が逆回転することにより、給紙ローラ７は自由回転可能状態となっている。また、レジストローラ対１０及び排紙ローラ対２１は正回転して、用紙Ｐを第１搬送経路に沿って間欠移動させる。
【００９１】
用紙Ｐへの片面画像記録が終わると、その用紙Ｐの後端部（搬送方向上流側端部）は排紙ローラ対２１の箇所でニップ両面画像記録するか否かを判別し（Ｓ５）、片面画像記録であるときには（Ｓ５：no）、ＬＦモータ４２を連続正回転させて、用紙Ｐの全体を排紙部に向かって排出する（図７（ａ）の矢印Ｂ方向参照）（Ｓ６）。このようにして、複数枚の片面連続画像記録の場合には、Ｓ３〜Ｓ６の工程を繰り返すことになる。
【００９２】
両面画像記録のときには（Ｓ５：yes ）、ＬＦモータ４２を所定量だけ連続正回転させて、用紙Ｐの後端部（搬送方向上流側部分）が排紙ローラ対２１に挟持される位置まで搬送し、用紙Ｐを本体外へ排出せずに一旦停止する（Ｓ７）。
【００９３】
次いで、開口用ソレノイド４９をＯＮ作動させて、副支持部材４６を上向き回動させ、開口部５０を形成する（Ｓ８）。この開口部５０の形成に続いて、もしくは実質的に並行して、キャリッジ１３を所定距離だけ横移動させて、切換えギヤ１０２とアイドルギヤ１２１とが噛み合う状態（図１３の状態参照）に保持し、ＬＦモータ４２の回転力が、駆動軸１４に伝達されないように遮断する（Ｓ９）。この場合も、給紙ローラ７は自由回転状態になる。
【００９４】
続いて、副支持部材４６を上向き回動させた状態を保持したまま、ＬＦモータ４２を正回転させると、排紙ローラ対２１が逆回転する（Ｓ１０）。これにより、片面画像記録済の用紙Ｐはその後端部（搬送方向上流側部分、回送方向先端部ともいう）を先頭にして開口部５０を介して第２搬送経路に回送される（図９（ｂ）参照）。
【００９５】
次いで、片面画像記録済の用紙Ｐを第１の所定量だけ回送したか否かを判別する（Ｓ１１）。この第１の所定量とは、片面画像記録済の用紙Ｐの回送方向先端が、排紙ローラ対２１によるニップ位置から給紙ローラ７と堆積された用紙Ｐの最上面との挟持部を若干越えた位置までの距離をいう。この第１の所定量はロータリエンコーダ４４により検知することができる。所定量の回送により、アーム６ａの下方を通過した片面画像記録済の用紙Ｐの先端部は自由回転状態の給紙ローラ７と給紙カセット５上の用紙Ｐの最上面との間に滑り込む。
【００９６】
所定量回送していれば（Ｓ１１：yes ）、続いて、キャリッジ１３を矢印ＣまたはＥ方向に所定量移動させ、動力伝達切換え手段１００を第１モードに設定することで、切換ギヤ１０２が間欠給紙伝動ギヤ１１３と噛み合った状態となり、この状態で、ＬＦモータ４２を正回転させると、給紙ローラ７は正回転する（Ｓ１２）。これにより、上記片面画像記録済の用紙ＰはＵターン搬送路９を通ってレジストローラ対２０に向って給送される。この状態では、レジストローラ対２０は逆回転している。
【００９７】
次いで、上記レジストローラ対２０の箇所に上記片面画像記録済の用紙Ｐの先端縁を突き当ててレジスト作用を受けさせる（Ｓ１３）。その後、ＬＦモータ４２を停止させて、給紙ローラ７、レジストローラ対２０及び排紙ローラ対２１を停止させる（Ｓ１４）。
【００９８】
この状態で、上記のニップ解除手段を作動させる（Ｓ１５）。つまり、キャリッジ１３を矢印ＣまたはＥ方向に移動させ、このキャリッジ１３の後端面（後当接部）１３ｃで当接部５９を傾動させることにより、上述のように、拍車ホルダ５３を上昇させて、拍車２１ｂを排紙ローラ２１ａから離間させる（ニップ解除）。
【００９９】
続いて、キャリッジ１３を図１４の矢印ＣまたはＥ方向に移動させて、動力伝達手段１００で第１モード（間欠給紙モード）を実行するように変更する。即ち、切換ギヤ１０２と間欠給紙伝動ギヤ１１３とを噛合させ）そして、ＬＦモータ４２を正回転させ、レジストローラ対２０及び排紙ローラ対２１を正回転させて、片面画像記録済の用紙Ｐの先端部を記録ヘッド１２と主支持部材４５との間に搬送する（Ｓ１６）。その場合、排紙ローラ対２１のニップは解除されているので、排紙ローラ２１ａが正回転しても、片面画像記録済の用紙Ｐは排紙方向（矢印Ｂ方向）に戻されることはない。
【０１００】
続いて、使用されている片面画像記録済の用紙Ｐの長さに応じて所定のタイミング（時間経過、もしくは用紙Ｐの第２の所定量の移動）になれば（Ｓ１６：yes ）、当該片面画像記録済の用紙Ｐの後端縁が排紙ローラ対２１の箇所から抜け出しているので、次に、キャリッジ１３を矢印Ｃに移動させ、このキャリッジ１３の後端面（後当接部）１３ｃが当接部５９から外れることにより、上述のように、拍車ホルダ５３を下降させて、拍車２１ｂを排紙ローラ２１ａに当接させる（ニップ可能状態にする）（Ｓ１７）。
【０１０１】
上記の状態で、続いて、開口用ソレノイド４９をＯＦＦ作動させて開口部５０を閉止するのである（Ｓ１８）。この状態では片面画像記録済の用紙Ｐの後端縁は副支持部材４６より下方に位置するので、開口部５０が閉まっても、当該用紙Ｐの再送に支障は発生しない。次いで、上記の用紙Ｐの裏面側に画像記録を実行する（Ｓ１９）ことにより、両面画像記録された用紙Ｐが画像記録装置１の排紙部に放出できるのである。
【０１０２】
以上のようにして、簡単且つ部品点数が少ない構成にて、用紙Ｐの両面に画像記録（印刷）が可能となる。
【０１０３】
上記実施形態において、回送モード時に、給紙ローラ７が停止状態で、給紙カセット５に堆積された用紙Ｐの最上面に当接していたが、他の実施形態として、アーム６ａを上昇させて、給紙ローラ７が堆積された用紙Ｐの最上面に当接しない（給紙ローラ７と隙間ができる）状態に保持して後、片面画像記録済の用紙Ｐを第２搬送経路に沿って回送する作業（Ｓ１１）を実行するようにしても良い。この他の実施形態の場合、給紙ローラ７は正回転していても良いし、逆回転していても良い。アーム６ａａ  所定のタイミングで昇降させるために、図示しないが、別途の電磁ソレノイド等のアクチュエータを利用しても良い。また、キャリッジ１３をメンテナンス部３６に近づく方向に移動させる等、キャリッジ１３をＹ軸方向に沿って移動させるときに、上記当接レバー５９と同じようなレバーの傾動に連動するリンク機構を設け、そのリンク機構の一端を副支持部材４６の側面のピン等に連結して、当該副支持部材４６を上向きに回動させて開口部５０を形成する構成を採用しても良い。
【０１０４】
上述したように、給紙カセット５の上方に配置され、堆積された用紙Ｐから１枚ずつ分離にして給送する給送ユニットと、給紙カセット５から記録ヘッド１２の下面と対向するように用紙Ｐを搬送し、排出側に用紙Ｐを送る第１搬送経路とを備えた画像記録装置において、第１搬送経路における記録ヘッド１２と給紙カセット５との上下間に、搬送される用紙Ｐを支持するための用紙支持部１１を配置し、用紙支持部１１には、片面画像記録済の用紙Ｐを給紙カセット５上に堆積された用紙Ｐの最上面と給紙ローラ７との間に回送するとき開口する開口部５０を備え、開口部５０よりも搬送下流側には、記録ヘッド１２の箇所を通過した用紙Ｐを挟持可能とする排紙ローラ対２０を設け、排紙ローラ対２１の逆回転により、片面画像記録済の用紙Ｐを、開口部５０からアーム６ａの下方の第２搬送経路に回送した後、給紙ローラ７にて、片面画像記録済の用紙Ｐを、第１搬送経路を経て記録ヘッド１２の方向に再送するように構成したものであるから、従来の両面画像記録のための反転搬送手段に比べて、構造が至極簡単且つ部品点数が少なくて済むという効果を奏する。
【０１０５】
また、排紙ローラ対２１の逆回転により、片面画像記録済の用紙Ｐを回送させるものであるから、従来の排出部近傍に逆送手段を配置する場合に比べて、逆送経路が極端に短くなり、両面画像記録を迅速に行える（高速化できる）という効果を奏する。そして、構成部品も排紙ローラ対２１及び給送ユニット６を利用するから、必要部品点数も少なくて、製造コストを大幅に低減できるという効果を奏する。
【０１０６】
そして、回送される用紙Ｐの先端部が、給紙ローラ７に届くまでは、この給紙ローラ７を給紙カセット５上に堆積された用紙Ｐの最上面から離間させるか、もしくは給紙ローラ７を自由回転可能状態に保持するだけの簡単な構成であるから、給紙ローラ７を通常の片面画像記録のときの給紙カセット５からの用紙Ｐの一枚ずつの分離給送することと、片面画像記録済の用紙Ｐを第１搬送経路を経て記録ヘッド１２の方向に再送することの両方に共通した部品（給紙ローラ７）を利用することができて、構造が至極簡単で必要部品点数も少なくしてコスト低減できるという効果を奏する。
【０１０７】
排紙ローラ対２１による用紙Ｐのニップを解除するためのニップ解除手段を備え、回送される片面画像記録済の用紙Ｐの先端部が、給紙ローラ７と給紙カセット５上に堆積された用紙Ｐの最上面との間に到達したとき、給紙ローラ７の離間解除もしくは前記給紙ローラを搬送方向に駆動し、且つ前記ニップ解除手段を作動させて排紙ローラ対２１のニップを解除するように構成したので、第１搬送経路への用紙Ｐの再送時には、排紙ローラ対２１による用紙Ｐの送り作用を無くし、給紙ローラ７の駆動のみで確実に搬送できるという効果を奏する。
【０１０８】
第１搬送経路には、記録ヘッド１２よりも搬送上流側に、レジストローラ対２０が設けられ、レジストローラ対２０と排紙ローラ対２１とは、用紙Ｐの搬送及び非搬送を同じくするように駆動される場合には、通常の間欠給紙モード時の前記レジストローラ対２０及び排紙ローラ対２１の回転方向の制御と同じであるので、片面画像記録と両面画像記録とでの制御を簡単にすることができる。
【０１０９】
用紙支持部である用紙支持部材の少なくとも一部を上方または下方に傾動させることにより、開口部５０が形成されるので、傾動させる支持部材の形状が小さくなり、傾動させるアクチュエータの動力も少なくて済むという効果を奏する。
【０１１０】
画像記録手段は、用紙支持部１１上の用紙Ｐに向かってインク滴を選択的に吐出するインクジェット式の記録ヘッド１２を備えているものであるので、用紙支持部１１はその上の用紙Ｐと記録ヘッド１２との間のギャップを規制する機能を有するものでありながら、開口部５０を形成し、且つ片面画像記録済の用紙Ｐの回送時に給紙ローラ７に導くための部材としても利用でき、部品点数の削減と、画像記録装置のコンパクト化に寄与できるという効果を奏する。
【０１１１】
本発明は上記記述及び図面によって説明した実施形態に限定されるものではなく、要旨を逸脱しない範囲内で種々変更して実施することができる。
【０１１２】
例えば、上記実施形態では、レジストローラ対２０の箇所に片面画像記録済の用紙Ｐの先端縁を突き当ててレジスト作用を受けさせた後、ＬＦモータ４２を停止させることにより給紙ローラ７、レジストローラ対２０及び排紙ローラ対２１を停止させた状態で、拍車ホルダ５３を上昇させて、拍車２１ｂを排紙ローラ２１ａから離間（ニップ解除）させていたが、このタイミングに限定されないことは言うまでもない。すなわち、片面画像記録済の用紙Ｐの先端縁が、給紙ローラ７と給紙カセット５上に堆積された用紙Ｐの最上面との挟持部を若干越えた時点から、レジストローラ対２０を正回転させて片面画像記録済の用紙Ｐの先端縁を記録ヘッド１２と主支持部材４５との間に搬送開始する時点までの間であればどのタイミングでも良いのである。
【図面の簡単な説明】
【０１１３】
【図１】画像記録装置の全体斜視図である。
【図２】上部ケースを除き、本体ケースを後方から見た斜視図である。
【図３】記録ユニットに給紙カセットを装着した状態の平面図である。
【図４】下流側のガイドプレート及び支持部材を除いた状態の記録部ユニットの斜視図である。
【図５】図４のＶ−Ｖ線矢視拡大側面図である。
【図６】キャリッジがメンテナンス部に位置した状態の排紙ローラ対側から見た斜視図である。
【図７】（ａ）は排紙ローラ対のニップ状態且つ開口部を閉止している状態を示す要部拡大断面図、（ｂ）は排紙ローラ対のニップを解除し、開口部を開いた状態を示す要部拡大断面図である。
【図８】（ａ）は本体ケース内の記録部ユニットの構造を示す一部側面図、図８（ｂ）は拍車ホルダの付勢及び回動中心を示す要部斜視図である。
【図９】（ａ）〜（ｄ）は両面画像動作の各工程を示す作用説明図である。
【図１０】（ａ）〜（ｃ）は給紙カセットに対する間欠給紙動作時の動力伝達切換え手段の位置を示す説明図である。
【図１１】（ａ）〜（ｄ）は切換え作動体と姿勢強制体の作用説明図である。
【図１２】（ａ）〜（ｃ）は同じく連続給紙動作時の動力伝達切換え手段の位置を示す説明図である。
【図１３】（ａ）〜（ｃ）は裏面への画像記録時の動力伝達切換え手段の位置を示す説明図である。
【図１４】（ａ）〜（ｃ）はメンテナンス動作時の動力伝達切換え手段の位置を示す説明図である。
【図１５】動力伝達切換え手段の概略構成図である。
【図１６】（ａ）〜（ｂ）は各動作時への切換え作用説明図である。
【図１７】制御装置の機能ブロック図である。
【図１８】両面画像記録の制御のフローチャートである。
【符号の説明】
【０１１４】
１        画像記録装置
２        本体ケース
５        給紙カセット
６        給送手段としての給送ユニット
６ａ      アーム
７        給紙ローラ
１０        記録部ユニット
１１        用紙支持部
１２        記録ヘッド
１３        キャリッジ
１３ａ      後端面
２０        レジストローラ対
２１        排紙ローラ対
２１ａ      排紙ローラ
２１ｂ      拍車
２４        ＣＲモータ
３９        エンジンフレーム
４０、４１    ガイドプレート
４２        ＬＦモータ
４４        ロータリエンコーダ
４５        主支持部材
４６        副支持部材
４７        枢支ピン
４８        反転搬送手段
４９        開口用ソレノイド
５０        開口部
５２        従動回転体
５３        拍車ホルダ
５４        コイルバネ
５５        当接体
５６        作用軸
５７        軸受部
５８        押し上げ作用部
５９        当接レバー
６０        用紙支持部材
１００        切り換え手段
１０６        用紙先端検出体
１１５、１１６    軸
３００        ＣＰＵ
【図１】
0004605386.tif 000002
【図２】
0004605386.tif 000003
【図３】
0004605386.tif 000004
【図４】
0004605386.tif 000005
【図５】
0004605386.tif 000006
【図６】
0004605386.tif 000007
【図７】
0004605386.tif 000008
【図８】
0004605386.tif 000009
【図９】
0004605386.tif 000010
【図１０】
0004605386.tif 000011
【図１１】
0004605386.tif 000012
【図１２】
0004605386.tif 000013
【図１３】
0004605386.tif 000014
【図１４】
0004605386.tif 000015
【図１５】
0004605386.tif 000016
【図１６】
0004605386.tif 000017
【図１７】
0004605386.tif 000018
【図１８】
0004605386.tif 000019